【手続補正書】
【提出日】令和2年11月20日(2020.11.20)
【手続補正１】
【補正対象書類名】特許請求の範囲
【補正対象項目名】全文
【補正方法】変更
【補正の内容】
【特許請求の範囲】
【請求項１】
対象の皮膚が生理的皮膚の老化の兆候を示すかどうかを判定するインビトロ法であって、
ａ）前記対象の皮膚サンプルにおいて、ＴＵＢＢ３、ＨＭＧＡ２及びＨＭＧＮ１からなる遺伝子の群から選択される遺伝子によってコードされた第１のタンパク質の発現レベル、並びにＨＭＧＮ１、ＨＩＳＴ１Ｈ２ＢＫ、ＰＰＦＩＡ２、ＣＯＸ５Ａ、ＭＴ１Ｅ、ＨＭＧＮ２、ＥＥＡ１、ＣＤＶ３、ＺＣ３Ｈ１１Ａ、ＨＭＧＡ１、ＰＴＭＡ、ＳＥＲＢＰ１、ＰＤＡＰ１、ＴＭＳＢ１０、ＰＳＭＤ９、ＣＡＬＭ１、ＭＴ１Ｇ、ＴＰＭ４、ＳＰＲＲ１Ｂ、ＧＢＦ１、ＨＤＧＦ、ＨＳＰＥ１、ＤＢＩ、ＴＲＩＭ６、ＰＴＭＳ、ＩＭＵＰ、ＳＨ３ＢＧＲＬ３、ＲＰＳ２８、ＳＴＭＮ１、ＡＨＳＧ、ＰＦＤＮ６、ＳＵＭＯ２、ＰＦＤＮ２、ＮＥＢ、ＨＭＧＢ１、ＴＭＳＢ４Ｘ、ＣＬＴＢ、ＭＹＨ１１、ＳＲＳＦ７、ＴＵＢＢ３、ＨＭＧＡ２、ＡＴＰ６Ｖ１Ａ、ＳＱＲＤＬ、ＩＤＨ３Ａ、ＰＦＫＰ、ＰＲＤＸ３、ＲＰＳ１３、ＰＤＩＡ４、ＧＳＴＯ１、ＧＳＴＰ１、ＡＣＴＲ３、ＳＬＣ２Ａ１、ＣＣＴ５、ＰＳＭＢ２、ＰＬＳ３、ＰＳＭＤ２、ＩＧＨＧ４、及びＲＰＬ１３からなる遺伝子の群から選択される遺伝子によってコードされた少なくとも１つのさらなるタンパク質の発現レベルを判定する工程、
ｂ）工程ａ）で得られた第１のタンパク質の発現レベルを第１のタンパク質の参照発現レベルで割ることで第１のタンパク質の発現比を判定し、及び工程ａ）で得られた少なくとも１つのさらなるタンパク質の発現レベルを少なくとも１つのさらなるタンパク質の参照発現レベルで割ることで少なくとも１つのさらなるタンパク質の発現比を判定する工程、及び
ｃ）皮膚が生理的皮膚の老化の兆候を示すかどうかを判定する工程であって、
ＴＵＢＢ３及びＨＭＧＡ２からなる遺伝子の群から選択される遺伝子によってコードされた第１のタンパク質に対し、工程ｂ）で判定された発現比が１より高く、並びにＴＵＢＢ３、ＨＭＧＡ２、ＡＴＰ６Ｖ１Ａ、ＳＱＲＤＬ、ＩＤＨ３Ａ、ＰＦＫＰ、ＰＲＤＸ３、ＲＰＳ１３、ＰＤＩＡ４、ＧＳＴＯ１、ＧＳＴＰ１、ＡＣＴＲ３、ＳＬＣ２Ａ１、ＣＣＴ５、ＰＳＭＢ２、ＰＬＳ３、ＰＳＭＤ２、ＩＧＨＧ４、及びＲＰＬ１３からなる遺伝子の群から選択される遺伝子によってコードされた少なくとも１つのさらなるタンパク質に対し、工程ｂ）で判定された発現比が１より高い場合；
ＴＵＢＢ３及びＨＭＧＡ２からなる遺伝子の群から選択される遺伝子によってコードさ
れた第１のタンパク質に対し、工程ｂ）で判定された発現比が１より高く、並びにＨＭＧＮ１、ＨＩＳＴ１Ｈ２ＢＫ、ＰＰＦＩＡ２、ＣＯＸ５Ａ、ＭＴ１Ｅ、ＨＭＧＮ２、ＥＥＡ１、ＣＤＶ３、ＺＣ３Ｈ１１Ａ、ＨＭＧＡ１、ＰＴＭＡ、ＳＥＲＢＰ１、ＰＤＡＰ１、ＴＭＳＢ１０、ＰＳＭＤ９、ＣＡＬＭ１、ＭＴ１Ｇ、ＴＰＭ４、ＳＰＲＲ１Ｂ、ＧＢＦ１、ＨＤＧＦ、ＨＳＰＥ１、ＤＢＩ、ＴＲＩＭ６、ＰＴＭＳ、ＩＭＵＰ、ＳＨ３ＢＧＲＬ３、ＲＰＳ２８、ＳＴＭＮ１、ＡＨＳＧ、ＰＦＤＮ６、ＳＵＭＯ２、ＰＦＤＮ２、ＮＥＢ、ＨＭＧＢ１、ＴＭＳＢ４Ｘ、ＣＬＴＢ、ＭＹＨ１１、及びＳＲＳＦ７からなる遺伝子の群から選択される遺伝子によってコードされた少なくとも１つのさらなるタンパク質に対し、工程ｂ）で判定された発現比が１より低い場合；
遺伝子ＨＭＧＮ１によってコードされた第１のタンパク質に対し、工程ｂ）で判定された発現比が１より低く、並びにＴＵＢＢ３、ＨＭＧＡ２、ＡＴＰ６Ｖ１Ａ、ＳＱＲＤＬ、ＩＤＨ３Ａ、ＰＦＫＰ、ＰＲＤＸ３、ＲＰＳ１３、ＰＤＩＡ４、ＧＳＴＯ１、ＧＳＴＰ１、ＡＣＴＲ３、ＳＬＣ２Ａ１、ＣＣＴ５、ＰＳＭＢ２、ＰＬＳ３、ＰＳＭＤ２、ＩＧＨＧ４、及びＲＰＬ１３からなる遺伝子の群から選択される遺伝子によってコードされた少なくとも１つのさらなるタンパク質に対し、工程ｂ）で判定された発現比が１より高い場合；又は
遺伝子ＨＭＧＮ１によってコードされた第１のタンパク質に対し、工程ｂ）で判定された発現比が１より低く、並びにＨＩＳＴ１Ｈ２ＢＫ、ＰＰＦＩＡ２、ＣＯＸ５Ａ、ＭＴ１Ｅ、ＨＭＧＮ２、ＥＥＡ１、ＣＤＶ３、ＺＣ３Ｈ１１Ａ、ＨＭＧＡ１、ＰＴＭＡ、ＳＥＲＢＰ１、ＰＤＡＰ１、ＴＭＳＢ１０、ＰＳＭＤ９、ＣＡＬＭ１、ＭＴ１Ｇ、ＴＰＭ４、ＳＰＲＲ１Ｂ、ＧＢＦ１、ＨＤＧＦ、ＨＳＰＥ１、ＤＢＩ、ＴＲＩＭ６、ＰＴＭＳ、ＩＭＵＰ、ＳＨ３ＢＧＲＬ３、ＲＰＳ２８、ＳＴＭＮ１、ＡＨＳＧ、ＰＦＤＮ６、ＳＵＭＯ２、ＰＦＤＮ２、ＮＥＢ、ＨＭＧＢ１、ＴＭＳＢ４Ｘ、ＣＬＴＢ、ＭＹＨ１１、及びＳＲＳＦ７からなる遺伝子の群から選択される遺伝子によってコードされた少なくとも１つのさらなるタンパク質に対し、工程ｂ）で判定された発現比が１より低い場合、
皮膚が老化の兆候を示すと判定されるものである工程、
を含む、方法。
【請求項２】
対象の生理的皮膚の老化の目に見える兆候を減少又は回復させることが可能な美容処置の方法であって、
ａ）前記対象の皮膚サンプルにおいて、ＴＵＢＢ３、ＨＭＧＡ２及びＨＭＧＮ１からなる遺伝子の群から選択される遺伝子によってコードされた第１のタンパク質の発現レベル、並びにＨＭＧＮ１、ＨＩＳＴ１Ｈ２ＢＫ、ＰＰＦＩＡ２、ＣＯＸ５Ａ、ＭＴ１Ｅ、ＨＭＧＮ２、ＥＥＡ１、ＣＤＶ３、ＺＣ３Ｈ１１Ａ、ＨＭＧＡ１、ＰＴＭＡ、ＳＥＲＢＰ１、ＰＤＡＰ１、ＴＭＳＢ１０、ＰＳＭＤ９、ＣＡＬＭ１、ＭＴ１Ｇ、ＴＰＭ４、ＳＰＲＲ１Ｂ、ＧＢＦ１、ＨＤＧＦ、ＨＳＰＥ１、ＤＢＩ、ＴＲＩＭ６、ＰＴＭＳ、ＩＭＵＰ、ＳＨ３ＢＧＲＬ３、ＲＰＳ２８、ＳＴＭＮ１、ＡＨＳＧ、ＰＦＤＮ６、ＳＵＭＯ２、ＰＦＤＮ２、ＮＥＢ、ＨＭＧＢ１、ＴＭＳＢ４Ｘ、ＣＬＴＢ、ＭＹＨ１１、ＳＲＳＦ７、ＴＵＢＢ３、ＨＭＧＡ２、ＡＴＰ６Ｖ１Ａ、ＳＱＲＤＬ、ＩＤＨ３Ａ、ＰＦＫＰ、ＰＲＤＸ３、ＲＰＳ１３、ＰＤＩＡ４、ＧＳＴＯ１、ＧＳＴＰ１、ＡＣＴＲ３、ＳＬＣ２Ａ１、ＣＣＴ５、ＰＳＭＢ２、ＰＬＳ３、ＰＳＭＤ２、ＩＧＨＧ４、及びＲＰＬ１３からなる遺伝子の群から選択される遺伝子によってコードされた少なくとも１つのさらなるタンパク質の発現レベルを判定する工程、
ｂ）工程ａ）で得られた第１のタンパク質の発現レベルを第１のタンパク質の参照発現レベルで割ることで第１のタンパク質の発現比を判定し、及び工程ａ）で得られた少なくとも１つのさらなるタンパク質の発現レベルを少なくとも１つのさらなるタンパク質の参照発現レベルで割ることで少なくとも１つのさらなるタンパク質の発現比を判定する工程、
ｃ）皮膚が生理的皮膚の老化の兆候を示すかどうかを推定する工程であって、
ＴＵＢＢ３及びＨＭＧＡ２からなる遺伝子の群から選択される遺伝子によってコードさ
れた第１のタンパク質に対し、工程ｂ）で判定された発現比が１より高く、並びにＴＵＢＢ３、ＨＭＧＡ２、ＡＴＰ６Ｖ１Ａ、ＳＱＲＤＬ、ＩＤＨ３Ａ、ＰＦＫＰ、ＰＲＤＸ３、ＲＰＳ１３、ＰＤＩＡ４、ＧＳＴＯ１、ＧＳＴＰ１、ＡＣＴＲ３、ＳＬＣ２Ａ１、ＣＣＴ５、ＰＳＭＢ２、ＰＬＳ３、ＰＳＭＤ２、ＩＧＨＧ４、及びＲＰＬ１３からなる遺伝子の群から選択される遺伝子によってコードされた少なくとも１つのさらなるタンパク質に対し、工程ｂ）で判定された発現比が１より高い場合；
ＴＵＢＢ３及びＨＭＧＡ２からなる遺伝子の群から選択される遺伝子によってコードされた第１のタンパク質に対し、工程ｂ）で判定された発現比が１より高く、並びにＨＭＧＮ１、ＨＩＳＴ１Ｈ２ＢＫ、ＰＰＦＩＡ２、ＣＯＸ５Ａ、ＭＴ１Ｅ、ＨＭＧＮ２、ＥＥＡ１、ＣＤＶ３、ＺＣ３Ｈ１１Ａ、ＨＭＧＡ１、ＰＴＭＡ、ＳＥＲＢＰ１、ＰＤＡＰ１、ＴＭＳＢ１０、ＰＳＭＤ９、ＣＡＬＭ１、ＭＴ１Ｇ、ＴＰＭ４、ＳＰＲＲ１Ｂ、ＧＢＦ１、ＨＤＧＦ、ＨＳＰＥ１、ＤＢＩ、ＴＲＩＭ６、ＰＴＭＳ、ＩＭＵＰ、ＳＨ３ＢＧＲＬ３、ＲＰＳ２８、ＳＴＭＮ１、ＡＨＳＧ、ＰＦＤＮ６、ＳＵＭＯ２、ＰＦＤＮ２、ＮＥＢ、ＨＭＧＢ１、ＴＭＳＢ４Ｘ、ＣＬＴＢ、ＭＹＨ１１、及びＳＲＳＦ７からなる遺伝子の群から選択される遺伝子によってコードされた少なくとも１つのさらなるタンパク質に対し、工程ｂ）で判定された発現比が１より低い場合；
遺伝子ＨＭＧＮ１によってコードされた第１のタンパク質に対し、工程ｂ）で判定された発現比が１より低く、並びにＴＵＢＢ３、ＨＭＧＡ２、ＡＴＰ６Ｖ１Ａ、ＳＱＲＤＬ、ＩＤＨ３Ａ、ＰＦＫＰ、ＰＲＤＸ３、ＲＰＳ１３、ＰＤＩＡ４、ＧＳＴＯ１、ＧＳＴＰ１、ＡＣＴＲ３、ＳＬＣ２Ａ１、ＣＣＴ５、ＰＳＭＢ２、ＰＬＳ３、ＰＳＭＤ２、ＩＧＨＧ４、及びＲＰＬ１３からなる遺伝子の群から選択される遺伝子によってコードされた少なくとも１つのさらなるタンパク質に対し、工程ｂ）で判定された発現比が１より高い場合；又は
遺伝子ＨＭＧＮ１によってコードされた第１のタンパク質に対し、工程ｂ）で判定された発現比が１より低く、並びにＨＩＳＴ１Ｈ２ＢＫ、ＰＰＦＩＡ２、ＣＯＸ５Ａ、ＭＴ１Ｅ、ＨＭＧＮ２、ＥＥＡ１、ＣＤＶ３、ＺＣ３Ｈ１１Ａ、ＨＭＧＡ１、ＰＴＭＡ、ＳＥＲＢＰ１、ＰＤＡＰ１、ＴＭＳＢ１０、ＰＳＭＤ９、ＣＡＬＭ１、ＭＴ１Ｇ、ＴＰＭ４、ＳＰＲＲ１Ｂ、ＧＢＦ１、ＨＤＧＦ、ＨＳＰＥ１、ＤＢＩ、ＴＲＩＭ６、ＰＴＭＳ、ＩＭＵＰ、ＳＨ３ＢＧＲＬ３、ＲＰＳ２８、ＳＴＭＮ１、ＡＨＳＧ、ＰＦＤＮ６、ＳＵＭＯ２、ＰＦＤＮ２、ＮＥＢ、ＨＭＧＢ１、ＴＭＳＢ４Ｘ、ＣＬＴＢ、ＭＹＨ１１、及びＳＲＳＦ７からなる遺伝子の群から選択される遺伝子によってコードされた少なくとも１つのさらなるタンパク質に対し、工程ｂ）で判定された発現比が１より低い場合、
皮膚が生理的皮膚の老化の兆候を示すと推定されるものである工程、及び
ｄ）皮膚が生理的老化の兆候を示すと判定されると、前記対象を生理的皮膚の老化の目に見える兆候を減少又は回復させる美容組成物で処置する工程、
を含む、方法。
【請求項３】
生理的皮膚の老化の目に見える兆候を減少又は回復させることが可能な物質を同定する方法であって、
ａ）皮膚サンプルを候補物質で処置する工程、
ｂ）工程ａ）の前記皮膚サンプルにおいて、ＴＵＢＢ３、ＨＭＧＡ２及びＨＭＧＮ１からなる遺伝子の群から選択される遺伝子によってコードされた第１のタンパク質の発現レベル、並びにＨＭＧＮ１、ＨＩＳＴ１Ｈ２ＢＫ、ＰＰＦＩＡ２、ＣＯＸ５Ａ、ＭＴ１Ｅ、ＨＭＧＮ２、ＥＥＡ１、ＣＤＶ３、ＺＣ３Ｈ１１Ａ、ＨＭＧＡ１、ＰＴＭＡ、ＳＥＲＢＰ１、ＰＤＡＰ１、ＴＭＳＢ１０、ＰＳＭＤ９、ＣＡＬＭ１、ＭＴ１Ｇ、ＴＰＭ４、ＳＰＲＲ１Ｂ、ＧＢＦ１、ＨＤＧＦ、ＨＳＰＥ１、ＤＢＩ、ＴＲＩＭ６、ＰＴＭＳ、ＩＭＵＰ、ＳＨ３ＢＧＲＬ３、ＲＰＳ２８、ＳＴＭＮ１、ＡＨＳＧ、ＰＦＤＮ６、ＳＵＭＯ２、ＰＦＤＮ２、ＮＥＢ、ＨＭＧＢ１、ＴＭＳＢ４Ｘ、ＣＬＴＢ、ＭＹＨ１１、ＳＲＳＦ７、ＴＵＢＢ３、ＨＭＧＡ２、ＡＴＰ６Ｖ１Ａ、ＳＱＲＤＬ、ＩＤＨ３Ａ、ＰＦＫＰ、ＰＲＤＸ３、ＲＰＳ１３、ＰＤＩＡ４、ＧＳＴＯ１、ＧＳＴＰ１、ＡＣＴＲ３、ＳＬＣ２Ａ１、ＣＣ
Ｔ５、ＰＳＭＢ２、ＰＬＳ３、ＰＳＭＤ２、ＩＧＨＧ４、及びＲＰＬ１３からなる遺伝子の群から選択される遺伝子によってコードされた少なくとも１つのさらなるタンパク質の発現レベルを判定する工程、
ｃ）処置されていない皮膚サンプルにおいて判定した第１のタンパク質の発現レベルを工程ｂ）で得られた第１のタンパク質の発現レベルで割り第１のタンパク質の発現比を判定し、及び処置されていない皮膚サンプルにおいて判定した少なくとも１つのさらなるタンパク質の発現レベルを工程ｂ）で得られた少なくとも１つのさらなるタンパク質の発現レベルで割り少なくとも１つのさらなるタンパク質の発現比を判定する工程、
ｄ）ＴＵＢＢ３及びＨＭＧＡ２からなる遺伝子の群から選択される遺伝子によってコードされた第１のタンパク質に対し、工程ｃ）で判定された発現比が１より高く、並びにＴＵＢＢ３、ＨＭＧＡ２、ＡＴＰ６Ｖ１Ａ、ＳＱＲＤＬ、ＩＤＨ３Ａ、ＰＦＫＰ、ＰＲＤＸ３、ＲＰＳ１３、ＰＤＩＡ４、ＧＳＴＯ１、ＧＳＴＰ１、ＡＣＴＲ３、ＳＬＣ２Ａ１、ＣＣＴ５、ＰＳＭＢ２、ＰＬＳ３、ＰＳＭＤ２、ＩＧＨＧ４、及びＲＰＬ１３からなる遺伝子の群から選択される遺伝子によってコードされた少なくとも１つのさらなるタンパク質に対し、工程ｃ）で判定された発現比が１より高い場合；
ＴＵＢＢ３及びＨＭＧＡ２からなる遺伝子の群から選択される遺伝子によってコードされた第１のタンパク質に対し、工程ｃ）で判定された発現比が１より高く、並びにＨＭＧＮ１、ＨＩＳＴ１Ｈ２ＢＫ、ＰＰＦＩＡ２、ＣＯＸ５Ａ、ＭＴ１Ｅ、ＨＭＧＮ２、ＥＥＡ１、ＣＤＶ３、ＺＣ３Ｈ１１Ａ、ＨＭＧＡ１、ＰＴＭＡ、ＳＥＲＢＰ１、ＰＤＡＰ１、ＴＭＳＢ１０、ＰＳＭＤ９、ＣＡＬＭ１、ＭＴ１Ｇ、ＴＰＭ４、ＳＰＲＲ１Ｂ、ＧＢＦ１、ＨＤＧＦ、ＨＳＰＥ１、ＤＢＩ、ＴＲＩＭ６、ＰＴＭＳ、ＩＭＵＰ、ＳＨ３ＢＧＲＬ３、ＲＰＳ２８、ＳＴＭＮ１、ＡＨＳＧ、ＰＦＤＮ６、ＳＵＭＯ２、ＰＦＤＮ２、ＮＥＢ、ＨＭＧＢ１、ＴＭＳＢ４Ｘ、ＣＬＴＢ、ＭＹＨ１１、及びＳＲＳＦ７からなる遺伝子の群から選択される遺伝子によってコードされた少なくとも１つのさらなるタンパク質に対し、工程ｃ）で判定された発現比が１より低い場合；
遺伝子ＨＭＧＮ１によってコードされた第１のタンパク質に対し、工程ｃ）で判定された発現比が１より低く、並びにＴＵＢＢ３、ＨＭＧＡ２、ＡＴＰ６Ｖ１Ａ、ＳＱＲＤＬ、ＩＤＨ３Ａ、ＰＦＫＰ、ＰＲＤＸ３、ＲＰＳ１３、ＰＤＩＡ４、ＧＳＴＯ１、ＧＳＴＰ１、ＡＣＴＲ３、ＳＬＣ２Ａ１、ＣＣＴ５、ＰＳＭＢ２、ＰＬＳ３、ＰＳＭＤ２、ＩＧＨＧ４、及びＲＰＬ１３からなる遺伝子の群から選択される遺伝子によってコードされた少なくとも１つのさらなるタンパク質に対し、工程ｃ）で判定された発現比が１より高い場合；又は
遺伝子ＨＭＧＮ１によってコードされた第１のタンパク質に対し、工程ｃ）で判定された発現比が１より低く、並びにＨＩＳＴ１Ｈ２ＢＫ、ＰＰＦＩＡ２、ＣＯＸ５Ａ、ＭＴ１Ｅ、ＨＭＧＮ２、ＥＥＡ１、ＣＤＶ３、ＺＣ３Ｈ１１Ａ、ＨＭＧＡ１、ＰＴＭＡ、ＳＥＲＢＰ１、ＰＤＡＰ１、ＴＭＳＢ１０、ＰＳＭＤ９、ＣＡＬＭ１、ＭＴ１Ｇ、ＴＰＭ４、ＳＰＲＲ１Ｂ、ＧＢＦ１、ＨＤＧＦ、ＨＳＰＥ１、ＤＢＩ、ＴＲＩＭ６、ＰＴＭＳ、ＩＭＵＰ、ＳＨ３ＢＧＲＬ３、ＲＰＳ２８、ＳＴＭＮ１、ＡＨＳＧ、ＰＦＤＮ６、ＳＵＭＯ２、ＰＦＤＮ２、ＮＥＢ、ＨＭＧＢ１、ＴＭＳＢ４Ｘ、ＣＬＴＢ、ＭＹＨ１１、及びＳＲＳＦ７からなる遺伝子の群から選択される遺伝子によってコードされた少なくとも１つのさらなるタンパク質に対し、工程ｃ）で判定された発現比が１より低い場合、
生理的皮膚の老化の目に見える兆候を減少又は回復させる物質としての前記候補物質を同定する工程、
を含む、方法。
【請求項４】
工程ａ）の前記皮膚サンプル及び工程ｃ）の前記候補物質で処置されていない前記皮膚サンプルを皮膚の老化を引き起こす環境にさらす、請求項３に記載の方法。
【請求項５】
前記皮膚サンプルが角化細胞を含む、請求項１〜４のいずれか一項に記載の方法。
【請求項６】
前記対象が白人である、請求項１〜５のいずれか一項に記載の方法。
【請求項７】
前記対象が女性である、請求項１〜６のいずれか一項に記載の方法。
【請求項８】
ＴＵＢＢ３、ＨＭＧＡ２及びＨＭＧＮ１からなる遺伝子の群から選択される遺伝子によってコードされた第１のタンパク質の発現レベルを判定するための少なくとも１つの捕捉リガンド、並びに
ＨＭＧＮ１、ＨＩＳＴ１Ｈ２ＢＫ、ＰＰＦＩＡ２、ＣＯＸ５Ａ、ＭＴ１Ｅ、ＨＭＧＮ２、ＥＥＡ１、ＣＤＶ３、ＺＣ３Ｈ１１Ａ、ＨＭＧＡ１、ＰＴＭＡ、ＳＥＲＢＰ１、ＰＤＡＰ１、ＴＭＳＢ１０、ＰＳＭＤ９、ＣＡＬＭ１、ＭＴ１Ｇ、ＴＰＭ４、ＳＰＲＲ１Ｂ、ＧＢＦ１、ＨＤＧＦ、ＨＳＰＥ１、ＤＢＩ、ＴＲＩＭ６、ＰＴＭＳ、ＩＭＵＰ、ＳＨ３ＢＧＲＬ３、ＲＰＳ２８、ＳＴＭＮ１、ＡＨＳＧ、ＰＦＤＮ６、ＳＵＭＯ２、ＰＦＤＮ２、ＮＥＢ、ＨＭＧＢ１、ＴＭＳＢ４Ｘ、ＣＬＴＢ、ＭＹＨ１１、ＳＲＳＦ７、ＴＵＢＢ３、ＨＭＧＡ２、ＡＴＰ６Ｖ１Ａ、ＳＱＲＤＬ、ＩＤＨ３Ａ、ＰＦＫＰ、ＰＲＤＸ３、ＲＰＳ１３、ＰＤＩＡ４、ＧＳＴＯ１、ＧＳＴＰ１、ＡＣＴＲ３、ＳＬＣ２Ａ１、ＣＣＴ５、ＰＳＭＢ２、ＰＬＳ３、ＰＳＭＤ２、ＩＧＨＧ４、及びＲＰＬ１３からなる遺伝子の群から選択される遺伝子によってコードされた少なくとも１つのさらなるタンパク質の発現レベルを判定するための少なくとも１つの捕捉リガンド
を含むキット。
【請求項９】
前記捕捉リガンドが抗体である、請求項８に記載のキット。
【請求項１０】
皮膚サンプルにおいて、ＴＵＢＢ３、ＨＭＧＡ２及びＨＭＧＮ１からなる遺伝子の群から選択される遺伝子によってコードされた第１のタンパク質の発現レベル、並びに
ＨＭＧＮ１、ＨＩＳＴ１Ｈ２ＢＫ、ＰＰＦＩＡ２、ＣＯＸ５Ａ、ＭＴ１Ｅ、ＨＭＧＮ２、ＥＥＡ１、ＣＤＶ３、ＺＣ３Ｈ１１Ａ、ＨＭＧＡ１、ＰＴＭＡ、ＳＥＲＢＰ１、ＰＤＡＰ１、ＴＭＳＢ１０、ＰＳＭＤ９、ＣＡＬＭ１、ＭＴ１Ｇ、ＴＰＭ４、ＳＰＲＲ１Ｂ、ＧＢＦ１、ＨＤＧＦ、ＨＳＰＥ１、ＤＢＩ、ＴＲＩＭ６、ＰＴＭＳ、ＩＭＵＰ、ＳＨ３ＢＧＲＬ３、ＲＰＳ２８、ＳＴＭＮ１、ＡＨＳＧ、ＰＦＤＮ６、ＳＵＭＯ２、ＰＦＤＮ２、ＮＥＢ、ＨＭＧＢ１、ＴＭＳＢ４Ｘ、ＣＬＴＢ、ＭＹＨ１１、ＳＲＳＦ７、ＴＵＢＢ３、ＨＭＧＡ２、ＡＴＰ６Ｖ１Ａ、ＳＱＲＤＬ、ＩＤＨ３Ａ、ＰＦＫＰ、ＰＲＤＸ３、ＲＰＳ１３、ＰＤＩＡ４、ＧＳＴＯ１、ＧＳＴＰ１、ＡＣＴＲ３、ＳＬＣ２Ａ１、ＣＣＴ５、ＰＳＭＢ２、ＰＬＳ３、ＰＳＭＤ２、ＩＧＨＧ４、及びＲＰＬ１３からなる遺伝子の群から選択される遺伝子によってコードされた少なくとも１つのさらなるタンパク質の発現レベルを判定するための、請求項８及び９に記載のキットの使用。